(57)【要約】【課題】セットトップボックスなどの信号変換装置から送られる映像信号の内容（映像コンテンツ）に応じて画質を調整することのできるテレビジョン装置を提供する。【解決手段】チャンネル解析部１５０は、ＳＴＢ用リモコン３００から発せられた赤外線信号ＩＲに相当するリモコン信号ＲＭの内容を解析することにより、視聴対象の映像コンテンツのチャンネル番号を特定する。画質調整パラメータ設定部１６０は、チャンネル番号と属性情報とを対応付けたテーブルをチャンネル番号をキーとして参照することにより、視聴対象の映像コンテンツの属性情報を取得する。さらに、画質調整パラメータ設定部１６０は、属性情報と画質調整処理に用いる画質調整パラメータに対する設定内容とを対応付けたテーブルを視聴対象の映像コンテンツの属性情報をキーとして参照することにより、画質調整パラメータの設定を行う。【選択図】図１
2015154303.tif 000002
【特許請求の範囲】
【請求項１】
外部から送られる放送信号を視聴可能な映像信号に変換する信号変換装置に接続されるテレビジョン装置であって、
視聴対象の映像コンテンツに対応するチャンネル番号を選択するための遠隔操作装置から送られるチャンネル操作信号を解析することにより、前記遠隔操作装置によって選択されたチャンネル番号を特定するチャンネル番号特定部と、
前記チャンネル番号特定部によって特定されたチャンネル番号に基づいて視聴対象の映像コンテンツの属性情報を取得し、その取得した属性情報に基づいて、画質調整処理に用いられる画質調整パラメータの設定を行う画質調整パラメータ設定部と、
前記信号変換装置から送られる視聴対象の映像コンテンツの映像信号を受信する映像受信部と、
前記画質調整パラメータの設定内容に応じて、前記映像受信部によって受信された映像信号のデータに前記画質調整処理を施す画質調整部と、
前記画質調整部による画質調整処理によって得られた画像を表示する表示部と
を備えることを特徴とする、テレビジョン装置。
【請求項２】
前記画質調整パラメータ設定部は、
属性情報と前記画質調整パラメータに対する設定内容とを対応付けた属性情報−画質調整パラメータ対応テーブルを含み、
前記取得した属性情報をキーとして前記属性情報−画質調整パラメータ対応テーブルを参照することによって、前記画質調整パラメータの設定を行うことを特徴とする、請求項１に記載のテレビジョン装置。
【請求項３】
前記属性情報−画質調整パラメータ対応テーブルには、映像コンテンツの分類を表す情報を属性情報として格納するコンテンツ分類−画質調整パラメータ対応テーブルが少なくとも含まれていることを特徴とする、請求項２に記載のテレビジョン装置。
【請求項４】
前記画質調整部は、前記映像受信部によって受信された映像信号に含まれるノイズ成分を前記画質調整パラメータとして予め設けられているノイズ除去用パラメータの設定内容に応じて除去する処理を前記画質調整処理として行うノイズ除去処理部を含み、
前記コンテンツ分類−画質調整パラメータ対応テーブルには、前記ノイズ除去用パラメータに対する設定内容が格納され、
前記画質調整パラメータ設定部は、前記取得した属性情報に基づき視聴対象の映像コンテンツの分類を表す情報をキーとして前記コンテンツ分類−画質調整パラメータ対応テーブルを参照することによって、前記ノイズ除去用パラメータの設定を行うことを特徴とする、請求項３に記載のテレビジョン装置。
【請求項５】
前記画質調整部は、前記映像受信部によって受信された映像信号に基づく映像コンテンツに含まれる画像の輪郭を前記画質調整パラメータとして予め設けられている輪郭強調用パラメータの設定内容に応じて強調する処理を前記画質調整処理として行う輪郭強調処理部を含み、
前記コンテンツ分類−画質調整パラメータ対応テーブルには、前記輪郭強調用パラメータに対する設定内容が格納され、
前記画質調整パラメータ設定部は、前記取得した属性情報に基づき視聴対象の映像コンテンツの分類を表す情報をキーとして前記コンテンツ分類−画質調整パラメータ対応テーブルを参照することによって、前記輪郭強調用パラメータの設定を行うことを特徴とする、請求項３に記載のテレビジョン装置。
【請求項６】
前記属性情報−画質調整パラメータ対応テーブルには、映像コンテンツの解像度を表す情報を属性情報として格納する解像度−画質調整パラメータ対応テーブルが少なくとも含まれていることを特徴とする、請求項２に記載のテレビジョン装置。
【請求項７】
前記画質調整部は、前記映像受信部によって受信された映像信号に基づく映像コンテンツの解像度を高める超解像処理を前記画質調整処理として行う超解像処理部を含み、
前記解像度−画質調整パラメータ対応テーブルには、前記画質調整パラメータとして予め設けられている超解像処理用パラメータに対する設定内容が格納され、
前記画質調整パラメータ設定部は、前記取得した属性情報に基づき視聴対象の映像コンテンツの解像度を表す情報をキーとして前記解像度−画質調整パラメータ対応テーブルを参照することによって、前記超解像処理用パラメータの設定を行い、
前記超解像処理部は、前記超解像処理用パラメータの設定内容に応じて、前記超解像処理の実行の可否を切り替えることを特徴とする、請求項６に記載のテレビジョン装置。
【請求項８】
前記画質調整パラメータ設定部は、
チャンネル番号と属性情報とを対応付けたチャンネル番号−属性情報対応テーブルを含み、
前記チャンネル番号特定部によって特定されたチャンネル番号をキーとして前記チャンネル番号−属性情報対応テーブルを参照することによって、視聴対象の映像コンテンツの属性情報を取得することを特徴とする、請求項２に記載のテレビジョン装置。
【請求項９】
前記チャンネル番号−属性情報対応テーブルに格納されているデータは、外部からダウンロードされるデータによって随時更新されることを特徴とする、請求項８に記載のテレビジョン装置。
【請求項１０】
現在の時刻を表す時刻情報を出力する時計部を更に備え、
前記画質調整パラメータ設定部は、前記チャンネル番号特定部によって特定されたチャンネル番号と前記時計部から出力された時刻情報とに基づいて、視聴対象の映像コンテンツの属性情報をネットワークを介して外部から取得することを特徴とする、請求項１に記載のテレビジョン装置。
【請求項１１】
前記画質調整パラメータ設定部は、
属性情報と前記画質調整パラメータに対する設定内容とを対応付けた属性情報−画質調整パラメータ対応テーブルを含み、
前記外部から取得した属性情報をキーとして前記属性情報−画質調整パラメータ対応テーブルを参照することによって、前記画質調整パラメータの設定を行うことを特徴とする、請求項１０に記載のテレビジョン装置。
【請求項１２】
前記チャンネル番号特定部は、前記チャンネル操作信号の送信元が前記信号変換装置用の遠隔操作装置であるときに、当該遠隔操作装置によって選択されたチャンネル番号を特定することを特徴とする、請求項１に記載のテレビジョン装置。
【請求項１３】
前記信号変換装置の動作を制御するためのチャンネル番号の情報を送信するチャンネル番号情報送信部を更に備え
前記チャンネル番号特定部は、前記チャンネル操作信号の送信元がテレビジョン装置用の遠隔操作装置であるときに、当該遠隔操作装置によって選択されたチャンネル番号を特定し、
前記チャンネル番号情報送信部は、前記チャンネル番号特定部によって特定されたチャンネル番号の情報を前記信号変換装置に送信することを特徴とする、請求項１に記載のテレビジョン装置。
【請求項１４】
前記画質調整部は、前記映像受信部によって受信された映像信号に含まれるノイズ成分を前記画質調整パラメータとして予め設けられているノイズ除去用パラメータの設定内容に応じて除去する処理を前記画質調整処理として行うノイズ除去処理部を含むことを特徴とする、請求項１に記載のテレビジョン装置。
【請求項１５】
前記画質調整部は、前記映像受信部によって受信された映像信号に基づく映像コンテンツに含まれる画像の輪郭を前記画質調整パラメータとして予め設けられている輪郭強調用パラメータの設定内容に応じて強調する処理を前記画質調整処理として行う輪郭強調処理部を含むことを特徴とする、請求項１に記載のテレビジョン装置。
【請求項１６】
前記画質調整部は、前記映像受信部によって受信された映像信号に基づく映像コンテンツの解像度を高める超解像処理を前記画質調整処理として行う超解像処理部を含み、
前記超解像処理部は、前記画質調整パラメータとして予め設けられている超解像処理用パラメータの設定内容に応じて、前記超解像処理の実行の可否を切り替えることを特徴とする、請求項１に記載のテレビジョン装置。
【請求項１７】
外部から送られる放送信号を視聴可能な映像信号に変換する信号変換装置に接続されるテレビジョン装置の制御方法であって、
視聴対象の映像コンテンツに対応するチャンネル番号を選択するための遠隔操作装置から送られるチャンネル操作信号を解析することにより、前記遠隔操作装置によって選択されたチャンネル番号を特定するチャンネル番号特定ステップと、
前記チャンネル番号特定ステップで特定されたチャンネル番号に基づいて視聴対象の映像コンテンツの属性情報を取得し、その取得した属性情報に基づいて、画質調整処理に用いられる画質調整パラメータの設定を行う画質調整パラメータ設定ステップと、
前記信号変換装置から送られる視聴対象の映像コンテンツの映像信号を受信する映像受信ステップと、
前記画質調整パラメータの設定内容に応じて、前記映像受信ステップで受信された映像信号のデータに前記画質調整処理を施す画質調整ステップと、
前記画質調整ステップでの画質調整処理によって得られた画像を表示する表示ステップと
を含むことを特徴とする、テレビジョン装置の制御方法。
【発明の詳細な説明】
【技術分野】
【０００１】
本発明は、テレビジョン装置に関し、より詳しくは、セットトップボックスなどの信号変換装置に接続された形態で用いられるテレビジョン装置およびそのテレビジョン装置の制御方法に関する。
【背景技術】
【０００２】
近年、テレビジョン装置では、地上波テレビ放送，ＩＰ放送，ケーブルテレビ放送などによって様々な映像コンテンツを視聴することが可能となっている。このようなテレビジョン装置に関し、各種放送信号を受信してその受信した信号をテレビジョン装置で視聴可能な信号に変換するセットトップボックスに接続された形態で用いられることがある。なお、セットトップボックスは単に「ＳＴＢ」と呼ばれることもある。セットトップボックスについては高機能化が進んでいる。例えば、セットトップボックスにおいて、標準画質（例えば、画素数＝７２０×４８０）のフォーマットのデータを高画質（例えば、画素数＝１９２０×１０８０）のフォーマットのデータに変換する超解像処理（アップスケール処理）が行われることもある。なお、以下においては、標準画質のことを「ＳＤ」と略記し、高画質のことを「ＨＤ」と略記する。
【０００３】
図１５は、従来のテレビジョンシステムの一構成例を示すブロック図である。このテレビジョンシステムは、テレビジョン装置９１０とセットトップボックス９２０とによって構成されている。テレビジョン装置９１０の動作はテレビ用リモコン９３０によって制御され、セットトップボックス９２０の動作はＳＴＢ用リモコン９４０によって制御される。テレビジョン装置９１０には、リモコン受信部９１１と映像受信部９１２と画質調整部９１３と表示部９１４とが含まれている。セットトップボックス９２０には、リモコン受信部９２１と制御部９２２と映像受信部９２３と映像送出部９２４とが含まれている。
【０００４】
セットトップボックス９２０に含まれる各構成要素の機能は次のとおりである。リモコン受信部９２１は、ＳＴＢ用リモコン９４０から発せられた赤外線信号ＩＲｓを受信し、それをリモコン信号ＲＭｓとして制御部９２２に与える。制御部９２２は、リモコン信号ＲＭｓを受け取り、映像受信部９２３の動作を制御する制御信号ＣＳを出力する。この制御信号ＣＳには、ＳＴＢ用リモコン９４０によって選択されたチャンネルの情報が含まれている。映像受信部９２３は、放送局から送信される放送信号ＴＶＳを受信する。その際、映像受信部９２３は、制御信号ＣＳに基づいて、現在選択されているチャンネルに対応する周波数帯域の放送信号ＴＶＳを抽出する。映像送出部９２４は、映像受信部９２３によって受信・抽出された放送信号を映像信号ＶＤとして出力する。映像送出部９２４から出力された映像信号ＶＤは、テレビジョン装置９１０に送られる。
【０００５】
テレビジョン装置９１０に含まれる各構成要素の機能は次のとおりである。リモコン受信部９１１は、テレビ用リモコン９３０から発せられた赤外線信号ＩＲｔを受信し、それをリモコン信号ＲＭｔとして画質調整部９１３に与える。映像受信部９１２は、セットトップボックス９２０から送られる映像信号ＶＤを受信する。画質調整部９１３は、映像受信部９１２が受信した映像信号ＶＤのデータに高画質化やノイズ除去などの画質調整処理を施す。なお、チャンネルの制御がテレビ用リモコン９３０によって行われた場合には、画質調整部９１３ではリモコン信号ＲＭｔに基づいて画質調整処理が行われる。表示部９１４は、画質調整部９１３による画質調整処理後のデータである表示データＤＡに基づいて、画像を表示する。
【０００６】
図１５に示す従来のテレビジョンシステムにおいては、以上のように各構成要素が機能することにより、放送局から送信された放送信号ＴＶＳに基づく映像コンテンツがテレビジョン装置９１０で再生される。その際、セットトップボックス９２０からテレビジョン装置９１０にＳＤのフォーマットのデータが送られた場合には、画質調整部９１３ではＳＤ用の画質調整処理が行われ、セットトップボックス９２０からテレビジョン装置９１０にＨＤのフォーマットのデータが送られた場合には、画質調整部９１３ではＨＤ用の画質調整処理が行われる。このようにして、映像コンテンツの画質の改善が図られている。
【０００７】
なお、本件発明に関連して、特開２０１３−５１５２５号公報には、複数の装置（例えば、テレビジョン受信装置と記録再生装置）がそれぞれ変換処理を行うことに起因する画質低下を抑止することのできる電子機器の発明が開示されている。特開２０１３−５１５２５号公報に開示された発明によれば、例えば、互いに接続された２つの機器（装置）が同一ベンダーの機器であって、かつ、特定条件を満たしている場合には、２つの機器で同様の処理が行われないように機器の制御が行われる。
【先行技術文献】
【特許文献】
【０００８】
【特許文献１】特開２０１３−５１５２５号公報
【発明の概要】
【発明が解決しようとする課題】
【０００９】
ところで、テレビジョン装置でチャンネルの制御が行われる場合には、テレビジョン装置はデジタル放送信号に含まれるメタデータに基づいて画質調整処理を行うことができるので、テレビジョン装置において映像コンテンツの画質を最適化することが可能である。なお、メタデータとは、実データ（実際に処理されるべき本来のデータ）の属性を表すデータのことである。メタデータとしては、例えば、「アニメ」，「映画」などのように映像コンテンツの分類（種類）を表すデータや映像コンテンツの解像度を表すデータが挙げられる。
【００１０】
ところが、ＨＤＭＩ（Ｈｉｇｈ−ｄｅｆｉｎｉｔｉｏｎ  Ｍｕｌｔｉｍｅｄｉａ  Ｉｎｔｅｒｆａｃｅ）（ＨＤＭＩは登録商標）信号やコンポジット信号を用いてデータの送受信が行われる場合には、「Ｇｒａｐｈｉｃｓ」，「Ｐｈｏｔｏ」，「Ｃｉｎｅｍａ」，「Ｇａｍｅ」などのようなコンテンツ種別の情報を伝送データに含めることはできるが、映像コンテンツに関するそれ以外の情報を伝送データに含めることはできない（映像コンテンツに関するそれ以外の情報の伝送が可能となるような規格が定められていない）。このため、図１５に示した構成においてセットトップボックス９２０からテレビジョン装置９１０にＨＤＭＩ信号やコンポジット信号などの形式で映像信号ＶＤが送られた場合、テレビジョン装置９１０では、映像信号ＶＤによって再生される映像コンテンツについての詳しい情報が取得されない。従って、テレビジョン装置９１０では、映像コンテンツに応じた画質調整処理が行われない。
【００１１】
また、従来のテレビジョン装置９１０においては、入力された映像信号ＶＤがＳＤのフォーマットのデータであれば、映像ソースもＳＤのデータであると認識され、入力された映像信号ＶＤがＨＤのフォーマットのデータであれば、映像ソースもＨＤのデータであると認識される。従って、セットトップボックス９２０においてＳＤのデータに超解像処理（アップスケール処理）が施された場合には、映像ソースがＳＤのデータであるにも関わらず、テレビジョン装置９１０は、入力された映像信号ＶＤの映像ソースがＨＤのデータであると認識する。このため、テレビジョン装置９１０では、ＳＤのデータに本来施されるべき画質調整処理が行われない。
【００１２】
以上のように、従来技術によれば、セットトップボックスなどの信号変換装置に接続された形態で用いられるテレビジョン装置において、入力された映像信号のデータに対して所望の画質調整処理が行われず充分な画質が得られないことがある。また、特開２０１３−５１５２５号公報に開示された発明によっても、映像コンテンツに応じた画質調整処理を行うことはできない。
【００１３】
そこで本発明は、セットトップボックスなどの信号変換装置から送られる映像信号の内容（映像コンテンツ）に応じて画質を調整することのできるテレビジョン装置を提供することを目的とする。
【課題を解決するための手段】
【００１４】
第１の発明は、外部から送られる放送信号を視聴可能な映像信号に変換する信号変換装置に接続されるテレビジョン装置であって、
視聴対象の映像コンテンツに対応するチャンネル番号を選択するための遠隔操作装置から送られるチャンネル操作信号を解析することにより、前記遠隔操作装置によって選択されたチャンネル番号を特定するチャンネル番号特定部と、
前記チャンネル番号特定部によって特定されたチャンネル番号に基づいて視聴対象の映像コンテンツの属性情報を取得し、その取得した属性情報に基づいて、画質調整処理に用いられる画質調整パラメータの設定を行う画質調整パラメータ設定部と、
前記信号変換装置から送られる視聴対象の映像コンテンツの映像信号を受信する映像受信部と、
前記画質調整パラメータの設定内容に応じて、前記映像受信部によって受信された映像信号のデータに前記画質調整処理を施す画質調整部と、
前記画質調整部による画質調整処理によって得られた画像を表示する表示部と
を備えることを特徴とする。
【００１５】
第２の発明は、第１の発明において、
前記画質調整パラメータ設定部は、
属性情報と前記画質調整パラメータに対する設定内容とを対応付けた属性情報−画質調整パラメータ対応テーブルを含み、
前記取得した属性情報をキーとして前記属性情報−画質調整パラメータ対応テーブルを参照することによって、前記画質調整パラメータの設定を行うことを特徴とする。
【００１６】
第３の発明は、第２の発明において、
前記属性情報−画質調整パラメータ対応テーブルには、映像コンテンツの分類を表す情報を属性情報として格納するコンテンツ分類−画質調整パラメータ対応テーブルが少なくとも含まれていることを特徴とする。
【００１７】
第４の発明は、第３の発明において、
前記画質調整部は、前記映像受信部によって受信された映像信号に含まれるノイズ成分を前記画質調整パラメータとして予め設けられているノイズ除去用パラメータの設定内容に応じて除去する処理を前記画質調整処理として行うノイズ除去処理部を含み、
前記コンテンツ分類−画質調整パラメータ対応テーブルには、前記ノイズ除去用パラメータに対する設定内容が格納され、
前記画質調整パラメータ設定部は、前記取得した属性情報に基づき視聴対象の映像コンテンツの分類を表す情報をキーとして前記コンテンツ分類−画質調整パラメータ対応テーブルを参照することによって、前記ノイズ除去用パラメータの設定を行うことを特徴とする。
【００１８】
第５の発明は、第３の発明において、
前記画質調整部は、前記映像受信部によって受信された映像信号に基づく映像コンテンツに含まれる画像の輪郭を前記画質調整パラメータとして予め設けられている輪郭強調用パラメータの設定内容に応じて強調する処理を前記画質調整処理として行う輪郭強調処理部を含み、
前記コンテンツ分類−画質調整パラメータ対応テーブルには、前記輪郭強調用パラメータに対する設定内容が格納され、
前記画質調整パラメータ設定部は、前記取得した属性情報に基づき視聴対象の映像コンテンツの分類を表す情報をキーとして前記コンテンツ分類−画質調整パラメータ対応テーブルを参照することによって、前記輪郭強調用パラメータの設定を行うことを特徴とする。
【００１９】
第６の発明は、第２の発明において、
前記属性情報−画質調整パラメータ対応テーブルには、映像コンテンツの解像度を表す情報を属性情報として格納する解像度−画質調整パラメータ対応テーブルが少なくとも含まれていることを特徴とする。
【００２０】
第７の発明は、第６の発明において、
前記画質調整部は、前記映像受信部によって受信された映像信号に基づく映像コンテンツの解像度を高める超解像処理を前記画質調整処理として行う超解像処理部を含み、
前記解像度−画質調整パラメータ対応テーブルには、前記画質調整パラメータとして予め設けられている超解像処理用パラメータに対する設定内容が格納され、
前記画質調整パラメータ設定部は、前記取得した属性情報に基づき視聴対象の映像コンテンツの解像度を表す情報をキーとして前記解像度−画質調整パラメータ対応テーブルを参照することによって、前記超解像処理用パラメータの設定を行い、
前記超解像処理部は、前記超解像処理用パラメータの設定内容に応じて、前記超解像処理の実行の可否を切り替えることを特徴とする。
【００２１】
第８の発明は、第２の発明において、
前記画質調整パラメータ設定部は、
チャンネル番号と属性情報とを対応付けたチャンネル番号−属性情報対応テーブルを含み、
前記チャンネル番号特定部によって特定されたチャンネル番号をキーとして前記チャンネル番号−属性情報対応テーブルを参照することによって、視聴対象の映像コンテンツの属性情報を取得することを特徴とする。
【００２２】
第９の発明は、第８の発明において、
前記チャンネル番号−属性情報対応テーブルに格納されているデータは、外部からダウンロードされるデータによって随時更新されることを特徴とする。
【００２３】
第１０の発明は、第１の発明において、
現在の時刻を表す時刻情報を出力する時計部を更に備え、
前記画質調整パラメータ設定部は、前記チャンネル番号特定部によって特定されたチャンネル番号と前記時計部から出力された時刻情報とに基づいて、視聴対象の映像コンテンツの属性情報をネットワークを介して外部から取得することを特徴とする。
【００２４】
第１１の発明は、第１０の発明において、
前記画質調整パラメータ設定部は、
属性情報と前記画質調整パラメータに対する設定内容とを対応付けた属性情報−画質調整パラメータ対応テーブルを含み、
前記外部から取得した属性情報をキーとして前記属性情報−画質調整パラメータ対応テーブルを参照することによって、前記画質調整パラメータの設定を行うことを特徴とする。
【００２５】
第１２の発明は、第１の発明において、
前記チャンネル番号特定部は、前記チャンネル操作信号の送信元が前記信号変換装置用の遠隔操作装置であるときに、当該遠隔操作装置によって選択されたチャンネル番号を特定することを特徴とする。
【００２６】
第１３の発明は、第１の発明において、
前記信号変換装置の動作を制御するためのチャンネル番号の情報を送信するチャンネル番号情報送信部を更に備え
前記チャンネル番号特定部は、前記チャンネル操作信号の送信元がテレビジョン装置用の遠隔操作装置であるときに、当該遠隔操作装置によって選択されたチャンネル番号を特定し、
前記チャンネル番号情報送信部は、前記チャンネル番号特定部によって特定されたチャンネル番号の情報を前記信号変換装置に送信することを特徴とする。
【００２７】
第１４の発明は、第１の発明において、
前記画質調整部は、前記映像受信部によって受信された映像信号に含まれるノイズ成分を前記画質調整パラメータとして予め設けられているノイズ除去用パラメータの設定内容に応じて除去する処理を前記画質調整処理として行うノイズ除去処理部を含むことを特徴とする。
【００２８】
第１５の発明は、第１の発明において、
前記画質調整部は、前記映像受信部によって受信された映像信号に基づく映像コンテンツに含まれる画像の輪郭を前記画質調整パラメータとして予め設けられている輪郭強調用パラメータの設定内容に応じて強調する処理を前記画質調整処理として行う輪郭強調処理部を含むことを特徴とする。
【００２９】
第１６の発明は、第１の発明において、
前記画質調整部は、前記映像受信部によって受信された映像信号に基づく映像コンテンツの解像度を高める超解像処理を前記画質調整処理として行う超解像処理部を含み、
前記超解像処理部は、前記画質調整パラメータとして予め設けられている超解像処理用パラメータの設定内容に応じて、前記超解像処理の実行の可否を切り替えることを特徴とする。
【００３０】
第１７の発明は、外部から送られる放送信号を視聴可能な映像信号に変換する信号変換装置に接続されるテレビジョン装置の制御方法であって、
視聴対象の映像コンテンツに対応するチャンネル番号を選択するための遠隔操作装置から送られるチャンネル操作信号を解析することにより、前記遠隔操作装置によって選択されたチャンネル番号を特定するチャンネル番号特定ステップと、
前記チャンネル番号特定ステップで特定されたチャンネル番号に基づいて視聴対象の映像コンテンツの属性情報を取得し、その取得した属性情報に基づいて、画質調整処理に用いられる画質調整パラメータの設定を行う画質調整パラメータ設定ステップと、
前記信号変換装置から送られる視聴対象の映像コンテンツの映像信号を受信する映像受信ステップと、
前記画質調整パラメータの設定内容に応じて、前記映像受信ステップで受信された映像信号のデータに前記画質調整処理を施す画質調整ステップと、
前記画質調整ステップでの画質調整処理によって得られた画像を表示する表示ステップと
を含むことを特徴とする。
【発明の効果】
【００３１】
上記第１の発明によれば、テレビジョン装置に設けられたチャンネル番号特定部によって、遠隔操作装置（リモコン）によって選択されたチャンネル番号の特定が行われる。また、テレビジョン装置に設けられた画質調整パラメータ設定部では、チャンネル番号特定部によって特定されたチャンネル番号に基づいて、映像コンテンツの属性情報が取得される。以上より、テレビジョン装置は、信号変換装置からメタデータが送信されなくても、信号変換装置（例えば、セットトップボックス）から送られる映像信号によって再生される映像コンテンツ（視聴対象の映像コンテンツ）についての詳しい属性情報を取得することが可能となる。また、画質調整パラメータ設定部では、取得した属性情報に基づいて、画質調整処理に用いられる画質調整パラメータの設定が行われる。これにより、画質調整処理は、視聴対象の映像コンテンツの属性に応じて行われる。以上のように、信号変換装置から送られる映像信号の内容（映像コンテンツ）に応じて画質を調整することのできるテレビジョン装置が実現される。
【００３２】
上記第２の発明によれば、各映像コンテンツと画質調整パラメータの設定内容との対応付けを比較的簡易な構成でテレビジョン装置内に保持することが可能となる。これにより、視聴対象の映像コンテンツに対する好適な画質調整パラメータの設定が比較的容易に行われる。
【００３３】
上記第３の発明によれば、テレビジョン装置において、視聴対象の映像コンテンツの分類（スポーツ，映画，アニメなど）に応じて画質を調整することが可能となる。
【００３４】
上記第４の発明によれば、テレビジョン装置において、視聴対象の映像コンテンツの分類（スポーツ，映画，アニメなど）に応じて映像信号に含まれているノイズ成分を取り除くことが可能となる。
【００３５】
上記第５の発明によれば、テレビジョン装置において、視聴対象の映像コンテンツの分類（スポーツ，映画，アニメなど）に応じて画像の輪郭を強調する処理を行うことが可能となる。
【００３６】
上記第６の発明によれば、テレビジョン装置において、視聴対象の映像コンテンツの解像度に応じて画質を調整することが可能となる。
【００３７】
上記第７の発明によれば、テレビジョン装置において、視聴対象の映像コンテンツの解像度に応じて超解像処理の実行の可否を切り替えることが可能となる。
【００３８】
上記第８の発明によれば、各チャンネル番号と属性情報との対応付けを比較的簡易な構成でテレビジョン装置内に保持することが可能となる。これにより、画像解析処理などの複雑な処理を要することなく、視聴対象の映像コンテンツの属性情報が容易かつ確実に取得される。
【００３９】
上記第９の発明によれば、放送内容の変更，チャンネル番号の変更，周波数の変更などによって各チャンネルに対応する映像コンテンツの属性に変更があっても、人の手を介することなく、チャンネル番号−属性情報対応テーブル内のデータが更新される。
【００４０】
上記第１０の発明によれば、チャンネル番号と時刻情報とに基づいて映像コンテンツの属性情報が取得されるので、時間帯によって異なる種類の映像コンテンツの配信を行うチャンネルについても、配信が行われている時点における映像コンテンツの属性情報が適切に取得される。このため、配信されている映像コンテンツに応じて適切に画質調整パラメータを設定することが可能となる。これにより、１つのチャンネルにおいて時間帯によって異なる種類の映像コンテンツの配信が行われる場合でも、時間帯に応じて好適な画質調整処理が行われる。
【００４１】
上記第１１の発明によれば、各映像コンテンツと画質調整パラメータの設定内容との対応付けを比較的簡易な構成でテレビジョン装置内に保持することが可能となる。これにより、視聴対象の映像コンテンツに対する好適な画質調整パラメータの設定が比較的容易に行われる。
【００４２】
上記第１２の発明によれば、信号変換装置用の遠隔操作装置でチャンネルの制御が行われた場合でも当該信号変換装置から送られる映像信号の内容（映像コンテンツ）に応じて画質を調整することのできるテレビジョン装置が実現される
【００４３】
上記第１３の発明によれば、テレビジョン装置用の遠隔操作装置からテレビジョン装置に送られたチャンネル操作信号を解析することによって特定されたチャンネル番号の情報が信号変換装置に送信される。従って、テレビジョン装置と信号変換装置との間でチャンネル番号についての同期を取ることが可能となる。これにより、テレビジョン装置では、信号変換装置から送られる映像信号の内容（映像コンテンツ）に応じた画質調整処理が確実に行われる。
【００４４】
上記第１４の発明によれば、信号変換装置からテレビジョン装置に送られる映像信号の内容（映像コンテンツ）に応じて、映像信号に含まれているノイズ成分を取り除くことが可能となる。
【００４５】
上記第１５の発明によれば、信号変換装置からテレビジョン装置に送られる映像信号の内容（映像コンテンツ）に応じて、画像の輪郭を強調する処理を行うことが可能となる。
【００４６】
上記第１６の発明によれば、信号変換装置からテレビジョン装置に送られる映像信号の内容（映像コンテンツ）に応じて、映像コンテンツの解像度を高める超解像処理の実行の可否を切り替えることが可能となる。
【００４７】
上記第１７の発明によれば、上記第１の発明と同様の効果をテレビジョン装置の制御方法において奏することができる。
【図面の簡単な説明】
【００４８】
【図１】本発明の第１の実施形態に係るテレビジョンシステムの全体構成を示すブロック図である。
【図２】上記第１の実施形態における表示部（液晶ディスプレイ）の構成を示すブロック図である。
【図３】上記第１の実施形態におけるＳＴＢ用リモコンの概略構成を示す図である。
【図４】上記第１の実施形態において、赤外線リモコンを用いたデータ伝送について説明するための図である。
【図５】上記第１の実施形態において、赤外線信号について説明するための図である。
【図６】上記第１の実施形態において、赤外線信号のデータフォーマットを示す概略図である。
【図７】上記第１の実施形態において、チャンネル解析部の動作について説明するためのフローチャートである。
【図８】上記第１の実施形態において、画質調整パラメータ設定部および画質調整部について説明するためのブロック図である。
【図９】上記第１の実施形態において、画質調整パラメータ設定部に設けられるべきテーブルについて説明するための図である。
【図１０】上記第１の実施形態において、画質調整パラメータ設定部に設けられるべきテーブルについて説明するための図である。
【図１１】本発明の第２の実施形態に係るテレビジョンシステムの全体構成を示すブロック図である。
【図１２】上記第２の実施形態において、チャンネル解析部の動作について説明するためのフローチャートである。
【図１３】本発明の第３の実施形態に係るテレビジョンシステムの全体構成を示すブロック図である。
【図１４】上記第３の実施形態の変形例に係るテレビジョンシステムの全体構成を示すブロック図である。
【図１５】従来のテレビジョンシステムの一構成例を示すブロック図である。
【発明を実施するための形態】
【００４９】
以下、添付図面を参照しつつ本発明の実施形態について説明する。なお、第２の実施形態および第３の実施形態については、第１の実施形態と異なる点のみを説明する。
【００５０】
＜１．第１の実施形態＞
＜１．１  全体構成および動作概要＞
図１は、本発明の第１の実施形態に係るテレビジョンシステムの全体構成を示すブロック図である。このテレビジョンシステムは、テレビジョン装置１００とセットトップボックス２００とによって構成されている。本実施形態においては、ＳＴＢ（セットトップボックス）用リモコン３００によって、テレビジョン装置１００の動作およびセットトップボックス２００の動作が制御される。テレビジョン装置１００には、リモコン受信部１１０と映像受信部１２０と画質調整部１３０と表示部１４０とチャンネル解析部１５０と画質調整パラメータ設定部１６０とが含まれている。セットトップボックス２００には、リモコン受信部２１０と制御部２２０と映像受信部２３０と映像送出部２４０とが含まれている。
【００５１】
セットトップボックス２００に含まれる各構成要素の機能は次のとおりである。リモコン受信部２１０は、ＳＴＢ用リモコン３００から発せられた赤外線信号ＩＲを受信し、それをリモコン信号ＲＭとして制御部２２０に与える。制御部２２０は、リモコン信号ＲＭを受け取り、映像受信部２３０の動作を制御する制御信号ＣＳを出力する。この制御信号ＣＳには、ＳＴＢ用リモコン３００によって選択されたチャンネルの情報が含まれている。映像受信部２３０は、放送局から送信される放送信号ＴＶＳを受信する。その際、映像受信部２３０は、制御信号ＣＳに基づいて、現在選択されているチャンネルに対応する周波数帯域の放送信号ＴＶＳを抽出する。映像送出部２４０は、映像受信部２３０によって受信・抽出された放送信号を映像信号ＶＤとして出力する。映像送出部２４０から出力された映像信号ＶＤは、テレビジョン装置１００に送られる。
【００５２】
テレビジョン装置１００に含まれる各構成要素の機能は次のとおりである。リモコン受信部１１０は、ＳＴＢ用リモコン３００から発せられた赤外線信号ＩＲを受信し、それをリモコン信号ＲＭとしてチャンネル解析部１５０に与える。チャンネル解析部１５０は、リモコン受信部１１０から与えられたリモコン信号ＲＭの内容を解析することにより、ＳＴＢ用リモコン３００によって選択されたチャンネル番号を特定する。画質調整パラメータ設定部１６０は、チャンネル解析部１５０によって特定されたチャンネル番号Ｃｈに基づいて、画質調整処理に用いられる画質調整パラメータＰａｒの設定を行う。映像受信部１２０は、セットトップボックス２００から送られる映像信号ＶＤを受信する。画質調整部１３０は、画質調整パラメータＰａｒの設定内容に応じて、映像受信部１２０が受信した映像信号ＶＤのデータに高画質化やノイズ除去などの画質調整処理を施す。表示部１４０は、画質調整部１３０による画質調整処理後のデータである表示データＤＡに基づいて、画像を表示する。なお、表示部１４０としては、例えば、液晶ディスプレイ，ＣＲＴディスプレイ，プラズマディスプレイ，有機ＥＬディスプレイなどが採用される。但し、本発明は、これらには限定されない。
【００５３】
以上のようにテレビジョン装置１００およびセットトップボックス２００に含まれる各構成要素が機能することにより、放送局から送信された放送信号ＴＶＳに基づく映像コンテンツが、所望の画質改善処理が施された状態でテレビジョン装置９１０で再生される。
【００５４】
なお、本実施形態においては、リモコン受信部１１０とチャンネル解析部１５０とによってチャンネル番号特定部が実現され、セットトップボックス２００によって信号変換装置が実現され、ＳＴＢ用リモコン３００によって遠隔操作装置が実現され、赤外線信号ＩＲによってチャンネル操作信号が実現されている。
【００５５】
＜１．２  表示部について＞
ここで、表示部１４０として液晶ディスプレイが採用されていると仮定して、当該液晶ディスプレイの構成および動作の概略について説明する。図２は、表示部（液晶ディスプレイ）１４０の構成を示すブロック図である。この表示部（液晶ディスプレイ）１４０には、画像表示エリア部１４１とソースドライバ（映像信号線駆動回路）１４２とゲートドライバ（走査信号線駆動回路）１４３とが含まれている。この表示部（液晶ディスプレイ）１４０には、上述した表示データＤＡが与えられるのに加えて、テレビジョン装置１００内のコントローラ（不図示）から、制御信号として、ソースドライバ１４２の動作を制御するためのソーススタートパルス信号ＳＳＰ，ソースクロック信号ＳＣＫ，およびラッチストローブ信号ＬＳと、ゲートドライバ１４３の動作を制御するためのゲートスタートパルス信号ＧＳＰおよびゲートクロック信号ＧＣＫとが与えられる。
【００５６】
図２に関し、画像表示エリア部１４１には、複数本のソースバスライン（映像信号線）ＳＬと複数本のゲートバスライン（走査信号線）ＧＬとが配設されている。ソースバスラインＳＬとゲートバスラインＧＬとの各交差点に対応して、画素を形成する画素形成部が設けられている。すなわち、画像表示エリア部１４１には、複数個の画素形成部が含まれている。上記複数個の画素形成部はマトリクス状に配置されて画素アレイを構成している。各画素形成部には、対応する交差点を通過するゲートバスラインＧＬにゲート端子が接続されると共に当該交差点を通過するソースバスラインＳＬにソース端子が接続されたスイッチング素子であるＴＦＴ（薄膜トランジスタ）８０と、そのＴＦＴ８０のドレイン端子に接続された画素電極８１と、上記複数個の画素形成部に共通的に設けられた共通電極８４および補助容量電極８５と、画素電極８１と共通電極８４とによって形成される液晶容量８２と、画素電極８１と補助容量電極８５とによって形成される補助容量８３とが含まれている。液晶容量８２と補助容量８３とによって画素容量が構成されている。なお、図２における画像表示エリア部１４１内には、１つの画素形成部に対応する構成要素のみを示している。
【００５７】
ソースドライバ１４２は、表示データＤＡ，ソーススタートパルス信号ＳＳＰ，ソースクロック信号ＳＣＫ，およびラッチストローブ信号ＬＳを受け取り、各ソースバスラインＳＬに駆動用映像信号を印加する。このとき、ソースドライバ１４２では、ソースクロック信号ＳＣＫのパルスが発生するタイミングで、各ソースバスラインＳＬに印加すべき電圧を示すデジタル信号である表示データＤＡが順次に保持される。そして、ラッチストローブ信号ＬＳのパルスが発生するタイミングで、上記保持された表示データＤＡがアナログ電圧に変換される。その変換されたアナログ電圧は、駆動用映像信号として全てのソースバスラインＳＬに一斉に印加される。ゲートドライバ１４３は、ゲートスタートパルス信号ＧＳＰとゲートクロック信号ＧＣＫとに基づいて、アクティブな走査信号の各ゲートバスラインＧＬへの印加を１垂直走査期間を周期として繰り返す。
【００５８】
以上のようにして、各ソースバスラインＳＬに駆動用映像信号が印加され、各ゲートバスラインＧＬに走査信号が印加されることにより、表示データＤＡに基づく画像が画像表示エリア部１４１に表示される。
【００５９】
＜１．３  ＳＴＢ用リモコンおよび赤外線信号について＞
図３は、ＳＴＢ用リモコン３００の概略構成を示す図である。図３に示すように、ＳＴＢ用リモコン３００には、チャンネル選択ボタン３１０と３桁入力ボタン３２０とチャンネルＵｐＤｏｗｎボタン３３０と赤外線発光部３４０とが設けられている。なお、通常、ＳＴＢ用リモコン３００には、図３に示したボタン以外にも、様々な機能の実行を指示するための多数のボタンが設けられている。
【００６０】
チャンネル選択ボタン３１０は、視聴者が１〜１２チャンネルのうちの１つのチャンネルを選択するためのボタンである。３桁入力ボタン３２０は、視聴者がチャンネル番号を３桁で入力するためのボタンである。この３桁入力ボタン３２０が押下されると、３桁のチャンネル番号を入力するための画面がテレビジョン装置１００の表示部１４０に表示される。そして、視聴者は、チャンネル選択ボタン３１０を用いて３桁のチャンネル番号を入力する。チャンネルＵｐＤｏｗｎボタン３３０は、選択されているチャンネル番号の値を１ずつ増加または１ずつ減少させるためのボタンである。例えば、６チャンネルが選択されているときにチャンネルＵｐＤｏｗｎボタン３３０の上方（以下、「Ｕｐボタン」という。）が押下されると、７チャンネルが選択される。また、例えば、４チャンネルが選択されているときにチャンネルＵｐＤｏｗｎボタン３３０の下方（以下、「Ｄｏｗｎボタン」という。）が押下されると、３チャンネルが選択される。赤外線発光部３４０は、視聴者によって押下されたボタンに応じて、赤外線を発光する。これにより、視聴者によって押下されたボタンに応じた赤外線信号ＩＲがテレビジョン装置１００およびセットトップボックス２００に送られる。
【００６１】
ＳＴＢ用リモコン３００に設けられている上述した各種ボタンによってチャンネルの選択が行われると、セットトップボックス２００では、選択されたチャンネルに応じて、映像コンテンツの切り替えが行われる。
【００６２】
本実施形態におけるＳＴＢ用リモコン３００は、赤外線リモコンである。従って、ＳＴＢ用リモコン３００での操作内容を表す情報は、赤外線信号によって伝送される。これについて、図４〜図６を参照しつつ詳しく説明する。赤外線リモコンを用いたデータ伝送では、図４で符号ＩＲａで示すような、例えば３８ＫＨｚで振幅変調された赤外線信号が用いられる。図４で符号Ｔａで示す期間の長さは、約２６．３マイクロ秒である。すなわち、時点ｔ１〜時点ｔ２の期間には、３８ＫＨｚの周期で赤外線発光のオン／オフが繰り返されている。赤外線信号の受信側では、時点ｔ１〜時点ｔ２の期間のように３８ＫＨｚの周期で赤外線発光のオン／オフが繰り返されているときには、赤外線信号がＨｉｇｈの状態であると認識され、時点ｔ２〜時点ｔ３の期間のように赤外線発光がオフで維持されているときには、赤外線信号がＬｏｗの状態であると認識される。従って、図１に示す構成においてＳＴＢ用リモコン３００から図４で符号ＩＲａで示すような波形の赤外線信号が送信された場合、リモコン受信部１１０，２１０では、図４で符号ＩＲｂで示すような波形の信号が伝達されたものと認識される。
【００６３】
さらに、赤外線信号の受信側では、赤外線信号がＬｏｗからＨｉｇｈに変化した時点から次に赤外線信号がＬｏｗからＨｉｇｈに変化するまでの時点の長さによって、伝達されたデータが１であるのか０であるのかの認識が行われる。具体的には、「１」を表すデータの伝達が行われるときには、図５で符号Ｔ１で示す期間のように、ＬｏｗからＨｉｇｈへの波形変化の周期が比較的長くされ、「０」を表すデータの伝達が行われるときには、図５で符号Ｔ２で示す期間のように、ＬｏｗからＨｉｇｈへの波形変化の周期が比較的短くされる。
【００６４】
以上のような前提下、本実施形態においては、ＳＴＢ用リモコン３００から出力される赤外線信号ＩＲのデータフォーマットとして、図６に示すフォーマットが採用される。図６に示すように、赤外線信号ＩＲのデータは、リーダーコード４２とカスタムコード４４とデータコード４６とによって構成されている。
【００６５】
リーダーコード４２は、赤外線信号ＩＲの出力の開始を表すコードである。リーダーコード４２についての信号のオン／オフのパターンは、カスタムコード４４やデータコード４６についての信号のオン／オフのパターンとは全く異なっている。これにより、リモコン受信部１１０，２１０は、赤外線信号ＩＲの出力開始を検知することができる。
【００６６】
カスタムコード４４は、赤外線信号ＩＲを出力した機器を特定するためのコードである。例えば、本実施形態のようにＳＴＢ用リモコン３００から赤外線信号ＩＲが出力された場合には、当該ＳＴＢ用リモコン３００の本体であるセットトップボックス２００に固有のコードがカスタムコード４４に割り当てられる。同一メーカー・同一機種のセットトップボックス２００が複数存在する場合、それらのＳＴＢ用リモコン３００から出力される赤外線信号ＩＲのカスタムコード４４は全て同じになる。なお、カスタムコード４４としては、例えば１６ビットが割り当てられる。
【００６７】
一般に、赤外線信号の受信側では、カスタムコード４４が自身のコードであれば、赤外線信号の受信に応じて何らかの処理が行われ、カスタムコード４４が自身のコードでなければ、処理は何も行われない。これに対して、本実施形態におけるテレビジョン装置１００では、リモコン受信部１１０が受け取った赤外線信号ＩＲのカスタムコード４４がセットトップボックス２００のコードである場合にも、赤外線信号ＩＲの内容に応じた処理（画質調整処理）が行われる。
【００６８】
データコード４６は、赤外線信号を受信した機器に行わせる処理を特定するためのコードである。本実施形態においては、ＳＴＢ用リモコン３００で押下されたボタンを表すコードがデータコード４６として伝送される。本実施形態においては、データコード４６として８ビットが割り当てられているものと仮定する。なお、データコード４６として１６ビットを割り当て、後半の８ビットの値を前半の８ビットの値を反転させた値にする方式が採用されることもある。
【００６９】
例えば、チャンネル選択ボタン３１０の“１”が押下されたときにデータコード４６の値を“０ｘ１１”とし、チャンネル選択ボタン３１０の“１２”が押下されたときにデータコード４６の値を“０ｘ１Ｃ」とすることができる。なお、“０ｘ”は１６進表記を意味している。また、例えば、３桁入力ボタン３２０が押下された後にチャンネル選択ボタン３１０の“１”，“２”，“３”が続けて押下されたときにデータコード４６の値を“０ｘ１１”，“０ｘ１２”，“０ｘ１３”とすることができる。
【００７０】
本実施形態においては、以上のようなフォーマットのデータが赤外線信号ＩＲとしてＳＴＢ用リモコン３００からテレビジョン装置１００に送られることにより、後述するように、ＳＴＢ用リモコン３００で選択されたチャンネルに応じた画質調整処理がテレビジョン装置１００で行われる。
【００７１】
＜１．４  チャンネル解析部の動作＞
上述したように、リモコン受信部１１０が受信した赤外線信号ＩＲは、リモコン信号ＲＭとしてチャンネル解析部１５０に与えられる。以下、図７を参照しつつ、本実施形態におけるチャンネル解析部１５０の動作について説明する。なお、図７に関し、ステップＳ１７０の画質調整パラメータ設定処理は、チャンネル解析部１５０で行われる処理ではなく、画質調整パラメータ設定部１６０で行われる処理である。また、チャンネル解析部１５０は、図７に示す処理に用いる変数として、以下の４個の変数を予め保持している。
Ｄｉｇｉｔｓ：計算や処理フローの制御に用いるための変数
Ｃｈ：選局されているチャンネルを表す変数
ＴｈｒｅｅＤｉｇｉｔｓＭｏｄｅ：３桁の値の入力中であるか否かを識別するための変数
Ｖａｌｕｅ：ＳＴＢ用リモコン３００のチャンネル選択ボタン３１０で選択された数値を代入するための変数
【００７２】
テレビジョン装置１００の電源ＯＮ後、まず、チャンネル解析部１５０は待機状態（リモコン信号ＲＭの受信待ちの状態）となる（ステップＳ１００）。リモコン信号ＲＭが与えられると、カスタムコード４４がセットトップボックス２００のコードであるか否かの判定が行われる（ステップＳ１１０）。判定の結果、カスタムコード４４がセットトップボックス２００のコードでなければ、通常のテレビ操作処理が行われる（ステップＳ１１２）。カスタムコード４４がセットトップボックス２００のコードであれば、処理はステップＳ１２０に進む。なお、カスタムコード４４がテレビジョン装置１００のコードであるか否かを判定するステップをステップＳ１１２の直前に設けて、カスタムコード４４がテレビジョン装置１００のコードである場合にのみステップＳ１１２のテレビ操作処理が行われるようにしても良い。
【００７３】
ステップＳ１２０では、データコード４６に基づいて、３桁入力ボタン３２０が押下されたのか否かの判定が行われる。判定の結果、３桁入力ボタン３２０が押下されていなければ、処理はステップＳ１３０に進む。３桁入力ボタン３２０が押下されていれば、変数Ｄｉｇｉｔｓに２が代入され、変数Ｃｈに０が代入され、変数ＴｈｒｅｅＤｉｇｉｔｓＭｏｄｅがＴＲＵＥに設定される（ステップＳ１２２）。すなわち、変数ＴｈｒｅｅＤｉｇｉｔｓＭｏｄｅがＴＲＵＥに設定されている状態は、３桁の値の入力中であることを表している。ステップＳ１２２の終了後、３桁の値の入力を受け付けるために待機状態（ステップＳ１００）に戻る。
【００７４】
ステップＳ１３０では、３桁の値の入力中であるか否かの判定が行われる。具体的には、変数ＴｈｒｅｅＤｉｇｉｔｓＭｏｄｅがＴＲＵＥになっていれば、３桁の値の入力中であると認識され、処理はステップＳ１３２に進む。変数ＴｈｒｅｅＤｉｇｉｔｓＭｏｄｅがＦＡＬＳＥになっていれば、処理はステップＳ１４０に進む。
【００７５】
ステップＳ１３２では、チャンネル選択ボタン３１０で選択された数値が変数Ｖａｌｕｅに代入される。その後、ステップＳ１３４において、“Ｃｈ＋Ｖａｌｕｅ×（１０＾Ｄｉｇｉｔｓ）”で算出される値が変数Ｃｈに代入され、“Ｄｉｇｉｔｓ−１”で算出される値が変数Ｄｉｇｉｔｓに代入される。なお、“（１０＾Ｄｉｇｉｔｓ）”は“１０のＤｉｇｉｔｓ乗”を意味する。さらに、ステップＳ１３６において、変数Ｄｉｇｉｔｓの値が−１であるか否かの判定が行われる。判定の結果、変数Ｄｉｇｉｔｓの値が−１であれば、処理はステップＳ１７０に進み、変数Ｄｉｇｉｔｓの値が−１でなければ、３桁の値の入力を受け付けるために待機状態（ステップＳ１００）に戻る。
【００７６】
ところで、３桁入力ボタン３２０が押下されたときには、ステップＳ１２２で変数Ｄｉｇｉｔｓに２が代入される。また、ステップＳ１３４では“Ｄｉｇｉｔｓ−１”で算出される値が変数Ｄｉｇｉｔｓに代入される。さらに、ステップＳ１３６で変数Ｄｉｇｉｔｓの値が−１ではない旨の判定が行われたときには待機状態（ステップＳ１００）に戻る。以上より、３桁入力ボタン３２０が押下されたときには、ステップＳ１３２からステップＳ１３６までの処理が３回繰り返される。
【００７７】
３桁の値の入力が行われる際、最初に１００の位の値が入力され、次に１０の位の値が入力され、最後に１の位の値が入力される。このため、上述したように、ステップＳ１３４で、“Ｃｈ＋Ｖａｌｕｅ×（１０＾Ｄｉｇｉｔｓ）”で算出される値を変数Ｃｈに代入している。詳しくは、３回繰り返される「ステップＳ１３２からステップＳ１３６までの処理」に関し、１回目のステップＳ１３４においては、変数Ｄｉｇｉｔｓの値が２になっているので、変数Ｖａｌｕｅの値（最初にチャンネル選択ボタン３１０で選択された数値）を１００倍することによって得られる値が変数Ｃｈに代入される。２回目のステップＳ１３４においては、変数Ｄｉｇｉｔｓの値が１になっているので、変数Ｖａｌｕｅの値（次にチャンネル選択ボタン３１０で選択された数値）を１０倍することによって得られる値が変数Ｃｈに加算される。３回目のステップＳ１３４においては、変数Ｄｉｇｉｔｓの値が０になっているので、変数Ｖａｌｕｅの値（最後にチャンネル選択ボタン３１０で選択された数値）そのものが変数Ｃｈに加算される。以上のようにして、視聴者によって入力された３桁の値が変数Ｃｈにセットされる。そして、３回目のステップＳ１３６では変数Ｄｉｇｉｔｓの値が−１になっているので、３桁の値の入力が終了したと認識され、処理はステップＳ１７０の画質調整パラメータ設定処理に進む。なお、処理がステップＳ１３６からステップＳ１７０に進む際には、変数ＴｈｒｅｅＤｉｇｉｔｓＭｏｄｅがＦＡＬＳＥに設定される。
【００７８】
３桁入力ボタン３２０が押下されずにチャンネル選択ボタン３１０もしくはチャンネルＵｐＤｏｗｎボタン３３０が押下されたときには、ステップＳ１３０の後、処理はステップＳ１４０に進む。ステップＳ１４０では、データコード４６に基づいて、チャンネル選択ボタン３１０が押下されたのか否かの判定が行われる。判定の結果、チャンネル選択ボタン３１０が押下されていなければ、処理はステップＳ１５０に進む。チャンネル選択ボタン３１０が押下されていれば、チャンネル選択ボタン３１０で選択された数値が変数Ｖａｌｕｅに代入され、当該変数Ｖａｌｕｅの値が変数Ｃｈに代入される（ステップＳ１４２）。視聴者によって選択されたチャンネル番号を表す値がステップＳ１４２で変数Ｃｈにセットされた後、処理はステップＳ１７０の画質調整パラメータ設定処理に進む。
【００７９】
ステップＳ１５０では、データコード４６に基づいて、Ｕｐボタンが押下されたのか否かの判定が行われる。判定の結果、Ｕｐボタンが押下されていなければ、処理はステップＳ１６０に進む。Ｕｐボタンが押下されていれば、“Ｃｈ＋１”で算出される値が変数Ｃｈに代入される。すなわち、変数Ｃｈの値に１が加算される（ステップＳ１５２）。変更前のチャンネル番号を表す値に１を加算することによって得られる値がステップＳ１５２で変数Ｃｈにセットされた後、処理はステップＳ１７０の画質調整パラメータ設定処理に進む。
【００８０】
ステップＳ１６０では、データコード４６に基づいて、Ｄｏｗｎボタンが押下されたのか否かの判定が行われる。判定の結果、Ｄｏｗｎボタンが押下されていなければ、待機状態（ステップＳ１００）に戻る。Ｄｏｗｎボタンが押下されていれば、“Ｃｈ−１”で算出される値が変数Ｃｈに代入される。すなわち、変数Ｃｈの値から１が減算される（ステップＳ１６２）。変更前のチャンネル番号を表す値から１を減算することによって得られる値がステップＳ１６２で変数Ｃｈにセットされた後、処理はステップＳ１７０の画質調整パラメータ設定処理に進む。
【００８１】
ステップＳ１７０では、画質調整部１３０において映像コンテンツに応じた画質調整処理が行われるよう、変数Ｃｈの値に基づいて、後述する画質調整パラメータ設定処理が行われる。
【００８２】
＜１．５  画質調整パラメータ設定部および画質調整部＞
次に、画質調整パラメータ設定部１６０および画質調整部１３０について詳しく説明する。図８は、画質調整パラメータ設定部１６０および画質調整部１３０について説明するためのブロック図である。画質調整パラメータ設定部１６０には、各チャンネルに対応する映像コンテンツがどのような属性を有しているかという情報を格納するためのチャンネル番号−属性情報対応テーブル１６２と、映像コンテンツの属性に応じて画質調整処理をどのように行えばいいかという情報を格納するための属性情報−画質調整パラメータ対応テーブルとが含まれている。なお、本実施形態においては、属性情報−画質調整パラメータ対応テーブルとして、コンテンツ分類−画質調整パラメータ対応テーブル１６４と解像度−画質調整パラメータ対応テーブル１６６とが設けられている。
【００８３】
チャンネル番号−属性情報対応テーブル１６２には、「チャンネル番号」，「専門チャンネル名」，「コンテンツ分類」，および「解像度」のデータを格納するためのフィールドが設けられている。上記フィールドのうちチャンネル番号が主キーである。コンテンツ分類および解像度は、各チャンネル番号に対応する映像コンテンツの属性である。例えば図８で符号７１の矢印で示す行は、「１０１チャンネルの映像コンテンツについては、専門チャンネル名は“ベースボール・ネットワーク”であって、コンテンツ分類はスポーツであり、解像度はＳＤである。」ということを示している。このようなチャンネル番号−属性情報対応テーブル１６２に各チャンネルの情報を予め格納しておくことにより、テレビジョン装置１００は、視聴者によって選択された映像コンテンツがどのような属性を有しているのかという情報を、チャンネル解析部１５０によって特定されたチャンネル番号に基づいて取得することができる。
【００８４】
コンテンツ分類−画質調整パラメータ対応テーブル１６４には、「コンテンツ分類」，「ＮＲ用パラメータ」，および「エンハンサ用パラメータ」のデータを格納するためのフィールドが設けられている。上記フィールドのうちコンテンツ分類が主キーである。ＮＲ用パラメータは、後述するノイズ除去処理部１３２で行われるノイズリダクション処理の際に用いられる画質調整パラメータである。エンハンサ用パラメータは、後述する輪郭強調処理部１３６で行われるエンハンサ処理の際に用いられる画質調整パラメータである。例えば図８で符号７２の矢印で示す行は、「コンテンツ分類がスポーツである映像コンテンツについては、ＮＲ用パラメータは“中”であり、エンハンサ用パラメータは“強”である。」ということを示している。なお、本実施形態においては、ＮＲ用パラメータによってノイズ除去用パラメータが実現され、エンハンサ用パラメータによって輪郭強調用パラメータが実現されている。
【００８５】
解像度−画質調整パラメータ対応テーブル１６６には、「解像度」および「超解像処理用パラメータ」のデータを格納するためのフィールドが設けられている。上記フィールドのうち解像度が主キーである。超解像処理用パラメータは、後述する超解像処理部１３４で行われる超解像処理の際に用いられる画質調整パラメータである。なお、超解像処理用パラメータに関し、“ＯＮ”は超解像処理を実行することを表し、“ＯＦＦ”は超解像処理を実行しないことを表す。従って、図８に示す解像度−画質調整パラメータ対応テーブル１６６によれば、ＳＤの映像コンテンツについては超解像処理が施され、ＨＤの映像コンテンツについては超解像処理は施されない。
【００８６】
以上のような構成において、次のように、画質調整パラメータ設定処理（画質調整パラメータＰａｒの設定を行う処理）が行われる。まず、画質調整パラメータ設定部１６０は、チャンネル解析部１５０で特定されたチャンネル番号Ｃｈをキーとしてチャンネル番号−属性情報対応テーブル１６２を参照することによって、視聴者によって選択された映像コンテンツの属性情報を取得する。次に、画質調整パラメータ設定部１６０は、チャンネル番号−属性情報対応テーブル１６２を参照することによって取得した属性情報をキーとしてコンテンツ分類−画質調整パラメータ対応テーブル１６４および解像度−画質調整パラメータ対応テーブル１６６を参照することによって、後述する画質調整処理（ノイズリダクション処理、超解像処理、エンハンサ処理）に用いる画質調整パラメータＰａｒの設定を行う。
【００８７】
例えば、チャンネル解析部１５０で特定されたチャンネル番号Ｃｈが２０１であれば、画質調整パラメータ設定部１６０は、チャンネル番号−属性情報対応テーブル１６２を参照することによって、“コンテンツ分類はアニメであって、解像度はＨＤである”という情報を取得する。さらに、画質調整パラメータ設定部１６０は、コンテンツ分類−画質調整パラメータ対応テーブル１６４を参照することによって“ＮＲ用パラメータは強であって、エンハンサ用パラメータはアニメ用である”という情報を取得し、解像度−画質調整パラメータ対応テーブル１６６を参照することによって、“超解像処理用パラメータはＯＦＦである”という情報を取得する。すなわち、画質調整パラメータ設定部１６０は、ノイズリダクション処理用の画質調整パラメータを“強”に設定し、エンハンサ処理用の画質調整パラメータを“アニメ用”に設定し、超解像処理用の画質調整パラメータを“ＯＦＦ”に設定する。
【００８８】
ところで、各チャンネルに対応する映像コンテンツの属性は、放送内容の変更，チャンネル番号の変更，周波数の変更などによって変わることがある。そこで、そのような変更があっても画質調整パラメータＰａｒの設定が適切に行われるよう、チャンネル番号−属性情報対応テーブル１６２の内容がインターネットあるいは衛星からのダウンロードによって随時更新されるようにしても良い。
【００８９】
なお、本実施形態においては３つのテーブルが画質調整パラメータ設定部１６０に設けられているが、本発明はこれに限定されない。画質調整パラメータ設定部１６０には、少なくとも、チャンネル番号と属性情報とを対応付けた図９に示すような１つのテーブルと、属性情報と画質調整パラメータＰａｒに対する設定内容とを対応付けた図１０に示すような１つのテーブルとが設けられていれば良い。
【００９０】
次に、画質調整部１３０について説明する。図８に示すように、本実施形態においては、画質調整部１３０は、ノイズ除去処理部１３２と超解像処理部１３４と輪郭強調処理部１３６とによって構成されている。ノイズ除去処理部１３２は、映像受信部１２０より与えられる映像データからノイズ成分を取り除くノイズリダクション処理を行う。その際、画質調整パラメータ設定部１６０で設定されたＮＲ用パラメータの内容に応じて、ノイズ成分として除去する周波数成分が決定される。超解像処理部１３４は、ノイズリダクション処理後の映像データに対して、標準画質のフォーマットから高画質のフォーマットに変換する超解像処理を施す。なお、この超解像処理部１３４による超解像処理は、超解像処理の実行の可否を示す超解像処理用パラメータが画質調整パラメータ設定部１６０においてＯＮに設定された場合にのみ行われる。輪郭強調処理部１３６は、ノイズリダクション処理後あるいは超解像処理後の映像データに対して、輪郭をはっきりさせるエンハンサ処理を施す。その際、画質調整パラメータ設定部１６０で設定されたエンハンサ用パラメータの内容に応じて、輪郭の強調度合いが調整される。
【００９１】
なお、本実施形態においては「ノイズリダクション処理、超解像処理、エンハンサ処理」の順序で画質調整処理が行われるが、処理の順序はこれに限定されない。また、本実施形態においては画質調整処理として３つの処理が行われるが、本発明はこれに限定されない。画質調整処理として少なくとも１つの処理が行われる場合に、本発明を適用することができる。
【００９２】
＜１．６  効果＞
本実施形態によれば、テレビジョン装置１００は、ＳＴＢ用リモコン３００から出力された赤外線信号ＩＲに基づいて動作可能なように構成されている。また、テレビジョン装置１００には、ＳＴＢ用リモコン３００を用いて視聴者によって選択されたチャンネル番号を特定するチャンネル解析部１５０が設けられている。さらに、テレビジョン装置１００には、「チャンネル番号」と「映像コンテンツの属性情報」とを対応付けたチャンネル番号−属性情報対応テーブル１６２が設けられている。以上より、テレビジョン装置１００は、セットトップボックス２００からメタデータが送信されなくても、チャンネル解析部１５０によって特定されたチャンネル番号に基づいて、セットトップボックス２００から送られる映像信号ＶＤによって再生される映像コンテンツについての詳しい属性情報を取得することが可能となる。さらに、テレビジョン装置１００には、「属性情報」と「画質調整処理に用いられるパラメータ（画質調整パラメータ）に対する設定内容」とを対応付けた属性情報−画質調整パラメータ対応テーブル（コンテンツ分類−画質調整パラメータ対応テーブル１６４および解像度−画質調整パラメータ対応テーブル１６６）が設けられている。そして、テレビジョン装置１００では、視聴対象の映像コンテンツの属性に対応付けられているパラメータの内容に応じて、高画質化やノイズ除去などの画質調整処理が行われる。このように、本実施形態によれば、セットトップボックス２００などの信号変換装置から送られる映像信号ＶＤの内容（映像コンテンツ）に応じて画質を調整することのできるテレビジョン装置１００が実現される。
【００９３】
セットトップボックス２００で受信される番組に関し、「スポーツチャンネル」，「アニメチャンネル」など特定の分野のコンテンツの放送のみが行われるチャンネルがある。特にケーブルテレビ放送については、そのような傾向にある。このような点を考慮すると、本実施形態のようにチャンネル番号の情報に基づいて上述の画質調整パラメータの設定を行うことにより、テレビジョン装置１００において映像コンテンツの画質が最適化される。
【００９４】
また、上述したように、従来技術においてセットトップボックスでＳＤのデータに超解像処理が施された場合、映像ソースがＳＤのデータであるにも関わらずテレビジョン装置は入力された映像信号の映像ソースがＨＤのデータであると認識するために、映像信号のデータに対して画質調整処理が適切に行われないことがあった。この点、本実施形態によれば、セットトップボックス２００での超解像処理の実行の有無に関わらず、テレビジョン装置１００は信号変換装置から送られた映像信号の映像ソースがＳＤのデータであるのかＨＤのデータであるのかを正しく認識することができる。このため、テレビジョン装置１００では、映像コンテンツの解像度に応じて適切に画質調整処理が行われる。
【００９５】
ところで、セットトップボックス２００から送られる映像信号ＶＤのデータがどのような映像コンテンツのデータであるのかを把握するために画像解析処理を行うことも考えられる。しかしながら、画像解析処理については、高コストであるにもかかわらず、充分な解析精度を得ることは困難である。この点、本実施形態によれば、テレビジョン装置１００において、特別な画像解析処理を要することなく、容易かつ確実に映像コンテンツの属性情報が取得される。
【００９６】
＜２．第２の実施形態＞
＜２．１  全体構成および動作概要＞
図１１は、本発明の第２の実施形態に係るテレビジョンシステムの全体構成を示すブロック図である。上記第１の実施形態においては、ＳＴＢ用リモコン３００によってテレビジョン装置１００の動作が制御されることを前提に説明していた。これに対して、本実施形態においては、テレビジョン装置１００の動作は、テレビ用リモコン４００のみによって制御される。また、本実施形態においては、セットトップボックス２００の動作が間接的にテレビ用リモコン４００によって制御される。このような制御を実現するため、本実施形態においては、上記第１の実施形態における構成要素に加えて、ＳＴＢリモコン信号送信部５００が設けられている。
【００９７】
本実施形態における各構成要素の機能は次のとおりである。リモコン受信部１１０は、テレビ用リモコン４００から発せられた赤外線信号ＩＲｔを受信し、それをリモコン信号ＲＭとしてチャンネル解析部１５０に与える。チャンネル解析部１５０は、リモコン受信部１１０から与えられたリモコン信号ＲＭの内容を解析することにより、テレビ用リモコン４００によって選択されたチャンネル番号を特定する。チャンネル解析部１５０によって特定されたチャンネル番号Ｃｈの情報は、画質調整パラメータ設定部１６０とＳＴＢリモコン信号送信部５００とに与えられる。すなわち、本実施形態におけるチャンネル解析部１５０では、テレビ用リモコン４００からの指令に従ってセットトップボックス２００に送信するためのチャンネル番号の情報の管理・制御が行われる。ＳＴＢリモコン信号送信部５００は、チャンネル解析部１５０から与えられたチャンネル番号Ｃｈの情報を、セットトップボックス２００のリモコン受信部２１０によって受信されるよう、赤外線信号ＩＲｓとして出力する。リモコン受信部２１０は、その赤外線信号ＩＲｓを受信し、それをリモコン信号ＲＭとして制御部２２０に与える。
【００９８】
上記以外の構成要素の機能は、上記第１の実施形態と同様である。なお、ＳＴＢリモコン信号送信部５００は、例えば、テレビジョン装置１００に内蔵あるいは外付けされた赤外線発光部によって実現される。
【００９９】
以上のような構成により、セットトップボックス２００では、テレビ用リモコン４００によるチャンネル操作に基づいて、放送局から送信される放送信号ＴＶＳの受信・抽出が行われる。すなわち、セットトップボックス２００では、テレビ用リモコン４００によるチャンネル操作に従って、映像コンテンツの切り替えが行われる。
【０１００】
なお、本実施形態においては、テレビ用リモコン４００によって遠隔操作装置が実現され、ＳＴＢリモコン信号送信部５００によってチャンネル番号情報送信部が実現されている。
【０１０１】
＜２．２  テレビ用リモコンについて＞
本実施形態におけるテレビ用リモコン４００は、赤外線リモコンである。但し、本発明はこれに限定されず、Ｂｌｕｅｔｏｏｔｈ（Ｂｌｕｅｔｏｏｔｈは登録商標）による通信など赤外線通信以外の通信手段を用いたリモコンをテレビ用リモコン４００として採用しても良い。なお、テレビ用リモコン４００の概略構成は、上記第１の実施形態におけるＳＴＢ用リモコン３００の概略構成（図３参照）と同様であると仮定する。
【０１０２】
＜２．３  チャンネル解析部の動作＞
図１２は、本実施形態におけるチャンネル解析部の動作について説明するためのフローチャートである。なお、上記第１の実施形態（図７参照）と異なる点についてのみ説明する。ステップＳ１１０では、リモコン信号ＲＭの示すモードがセットトップボックス２００のチャンネル操作のモードであるか否かの判定が行われる。判定の結果、リモコン信号ＲＭの示すモードがセットトップボックス２００のチャンネル操作のモードでなければ、通常のテレビ操作処理が行われる（ステップＳ１１２）。リモコン信号ＲＭの示すモードがセットトップボックス２００のチャンネル操作のモードであれば、処理はステップＳ１２０に進む。ステップＳ１２０からステップＳ１６２については、上記第１の実施形態と同様である。
【０１０３】
図１２から把握されるように、本実施形態においては、ステップＳ１７０の画質調整パラメータ設定処理と並列で、チャンネル解析部１５０によって特性されたチャンネル番号Ｃｈの情報をセットトップボックス２００に送信する処理（以下、「チャンネル情報送信処理」という。）が行われる（ステップＳ１８０）。具体的には、ステップＳ１８０では、チャンネル番号Ｃｈの情報がチャンネル解析部１５０からＳＴＢリモコン信号送信部５００に与えられ、当該チャンネル番号Ｃｈの情報が赤外線信号ＩＲｓとしてＳＴＢリモコン信号送信部５００からセットトップボックス２００内のリモコン受信部２１０へと送信される。
【０１０４】
なお、上記説明では画質調整パラメータ設定処理とチャンネル情報送信処理が並列で行われているが、本発明はこれに限定されない。画質調整パラメータ設定処理の前にチャンネル情報送信処理が行われても良いし、画質調整パラメータ設定処理の後にチャンネル情報送信処理が行われても良い。
【０１０５】
＜２．４  効果＞
上記第１の実施形態においては、例えば電源オンの直後などにおいて、テレビジョン装置１００とセットトップボックス２００とでチャンネル番号が異なることがある。この場合、チャンネル選択ボタン３１０あるいは３桁入力ボタン３２０を用いてチャンネルの選択が行われない限り、チャンネルＵｐＤｏｗｎボタン３３０を用いてチャンネルの操作が行われても、テレビジョン装置１００とセットトップボックス２００とでチャンネル番号が異なっている状態が継続する。そうすると、テレビジョン装置１００において、所望の画質調整処理が行われない。
【０１０６】
この点、本実施形態によれば、テレビ用リモコン４００の操作に従ってテレビジョン装置１００でチャンネル番号の管理が行われ、チャンネル解析部１５０によって特定されたチャンネル番号Ｃｈの情報がセットトップボックス２００に送信される。そして、セットトップボックス２００では、テレビジョン装置１００から送られたチャンネル番号Ｃｈの情報に基づいて処理が行われる。以上より、テレビジョン装置１００とセットトップボックス２００との間でチャンネル番号についての同期を取ることが可能となる。これにより、テレビジョン装置１００では、セットトップボックス２００から送られる映像信号ＶＤの内容（映像コンテンツ）に応じた画質調整処理が確実に行われる。
【０１０７】
＜３．第３の実施形態＞
＜３．１  構成および動作＞
上記第１の実施形態および上記第２の実施形態においては、テレビジョン装置１００内の画質調整パラメータ設定部１６０に設けられたチャンネル番号−属性情報対応テーブル１６２を参照することによって、各チャンネルに対応する映像コンテンツの属性情報が取得されていた。しかしながら、本発明はこれに限定されない。各チャンネルに対応する映像コンテンツの属性情報をインターネットから取得するという構成（第３の実施形態の構成）を採用することもできる。
【０１０８】
図１３は、本発明の第３の実施形態に係るテレビジョンシステムの全体構成を示すブロック図である。テレビジョン装置１００には、上記第１の実施形態における構成要素（図１参照）に加えて、時計部１７０が設けられている。また、画質調整パラメータ設定部１６０は、番組情報取得部１６８と属性−パラメータ変換部１６９とによって構成されている。以下、本実施形態において画質調整処理に用いられる画質調整パラメータＰａｒの設定がどのようにして行われるのかについて説明する。
【０１０９】
チャンネル解析部１５０によってチャンネル番号Ｃｈが特定されると、当該チャンネル番号Ｃｈの情報は画質調整パラメータ設定部１６０内の番組情報取得部１６８に与えられる。番組情報取得部１６８は、時計部１７０から得られる現在時刻Ｔｉの情報とチャンネル解析部１５０から与えられたチャンネル番号Ｃｈの情報とに基づいて、映像コンテンツの属性情報ＡＴをインターネット６００（インターネット上の番組表）から取得する。なお、この属性情報ＡＴには、コンテンツ分類のデータや解像度のデータが含まれている。属性−パラメータ変換部１６９は、番組情報取得部１６８が取得した属性情報ＡＴを、画質調整処理に用いられる画質調整パラメータＰａｒの設定値に変換する。換言すれば、属性−パラメータ変換部１６９は、番組情報取得部１６８が取得した属性情報ＡＴに基づいて、画質調整処理に用いられる画質調整パラメータＰａｒの設定を行う。なお、この属性−パラメータ変換部１６９による処理は、例えば上記第１の実施形態と同様の属性情報−画質調整パラメータ対応テーブル（コンテンツ分類−画質調整パラメータ対応テーブル１６４，解像度−画質調整パラメータ対応テーブル１６６）を用いて行われるようにすれば良い。
【０１１０】
＜３．２  効果＞
上記第１の実施形態および上記第２の実施形態においては、チャンネル番号Ｃｈの情報のみに基づいて映像コンテンツの属性情報が取得されていた。このため、１つのチャンネルにおいて時間帯によって異なる種類の映像コンテンツの配信が行われる場合（例えば、１つのチャンネルにおいてスポーツ番組を配信している時間帯もあればアニメ番組を配信している時間帯もあるような場合）、所望の画質調整処理が行われないことがある。
【０１１１】
この点、本実施形態によれば、チャンネル番号Ｃｈの情報と現在時刻Ｔｉの情報とに基づいて映像コンテンツの属性情報が取得されるので、時間帯によって異なる種類の映像コンテンツの配信を行うチャンネルについても、配信が行われている時点における映像コンテンツの属性情報が適切に取得される。このため、配信されている映像コンテンツに応じて適切に画質調整パラメータＰａｒを設定することが可能となる。これにより、１つのチャンネルにおいて時間帯によって異なる種類の映像コンテンツの配信が行われる場合でも、時間帯に応じて好適な画質調整処理が行われる。
【０１１２】
＜３．３  変形例＞
上記第３の実施形態におけるテレビジョンシステム（図１３参照）は、上記第１の実施形態（図１参照）と同様、ＳＴＢ用リモコン３００によってテレビジョン装置１００の動作が制御される構成となっている。しかしながら、テレビジョンシステムを図１４に示すような構成にして、上記第２の実施形態（図１１参照）と同様、テレビジョン装置１００の動作はテレビ用リモコン４００のみによって制御され、セットトップボックス２００の動作は間接的にテレビ用リモコン４００によって制御されるようにしても良い。
【０１１３】
＜４．その他＞
本発明は上記各実施形態および上記各変形例に限定されるものではなく、本発明の範囲を逸脱しない限りにおいて種々の変形を施すことができる。例えば、セットトップボックス２００に代えて放送信号を受信可能なレコーダ装置が設けられている構成においても本発明を適用することができる。また、例えば、画質調整処理として上記で説明した処理以外の処理が行われる場合にも本発明を適用することができる。
【符号の説明】
【０１１４】
１００…テレビジョン装置
１１０…リモコン受信部
１２０…映像受信部
１３０…画質調整部
１３２…ノイズ除去処理部
１３４…超解像処理部
１３６…輪郭強調処理部
１４０…表示部
１５０…チャンネル解析部
１６０…画質調整パラメータ設定部
１６２…チャンネル番号−属性情報対応テーブル
１６４…コンテンツ分類−画質調整パラメータ対応テーブル
１６６…解像度−画質調整パラメータ対応テーブル
２００…セットトップボックス（ＳＴＢ）
２１０…リモコン受信部
２２０…制御部
２３０…映像受信部
２４０…映像送出部
３００…ＳＴＢ用リモコン
４００…テレビ用リモコン
５００…ＳＴＢリモコン信号送信部
Ｃｈ…チャンネル番号
ＤＡ…表示データ
ＩＲ，ＩＲｔ，ＩＲｓ…赤外線信号
Ｐａｒ…画質調整パラメータ
ＲＭ…リモコン信号
ＴＶＳ…放送信号
ＶＤ…映像信号
【図１】
2015154303.tif 000003
【図２】
2015154303.tif 000004
【図３】
2015154303.tif 000005
【図４】
2015154303.tif 000006
【図５】
2015154303.tif 000007
【図６】
2015154303.tif 000008
【図７】
2015154303.tif 000009
【図８】
2015154303.tif 000010
【図９】
2015154303.tif 000011
【図１０】
2015154303.tif 000012
【図１１】
2015154303.tif 000013
【図１２】
2015154303.tif 000014
【図１３】
2015154303.tif 000015
【図１４】
2015154303.tif 000016
【図１５】
2015154303.tif 000017